(57)【要約】【課題】光の利用効率を挙げて一定の光量を確保するとともに小型化を実現した光源ユニット及びプロジェクタ装置を提供する。【解決手段】内面が鏡面加工されているとともにランプ収納用開口と光照射用開口が形成されたリフレクタと、光を放射するバルブと前記バルブに電極を案内する電極導入部とが備えられた前記ランプ収納用開口から前記リフレクタ内に挿入されるとともに前記バルブから放射されて前記リフレクタの内壁により反射された放射光の焦点位置が前記電極導入部上に位置しないように前記バルブが配置された光源と、前記ランプから放射された光の光軸上にあるとともに前記リフレクタで反射された前記ランプの放射光を集光させる少なくとも一方のレンズ面の中央部に凹部が備えられた集光用レンズと、を備えることを特徴とする光源ユニット。【選択図】図２
2006171210.tif 000002
【特許請求の範囲】
【請求項１】
内面が鏡面加工されているとともにランプ収納用開口と光照射用開口が形成されたリフレクタと、
光を放射するバルブと前記バルブに電極を案内する電極導入部とが備えられた前記ランプ収納用開口から前記リフレクタ内に挿入されるとともに前記バルブから放射されて前記リフレクタの内壁により反射された放射光の焦点位置が前記電極導入部上に位置しないように前記バルブが配置された光源と、
前記ランプから放射された光の光軸上にあるとともに前記リフレクタで反射された前記ランプの放射光を集光させる少なくとも一方のレンズ面の中央部に凹部が備えられた集光用レンズと、
を備えることを特徴とする光源ユニット。
【請求項２】
前記集光用レンズは、両レンズ面の中央部に凹面が設けられた凸レンズであることを特徴とする請求項１に記載の光源ユニット。
【請求項３】
前記集光用レンズは、一方のレンズ面の中央部に凹部が設けられた凸レンズであることを特徴とする請求項１に記載の光源ユニット。
【請求項４】
前記集光用レンズは、一方のレンズ面は平面に形成されるとともに、他方のレンズ面は中央部凹部が設けられた凸面に形成されたレンズであることを特徴とする請求項１に記載の光源ユニット。
【請求項５】
内面が鏡面加工されているとともにランプ収納用開口と光照射用開口が形成されたリフレクタと、光を放射するバルブと前記バルブに電極を案内する電極導入部とが備えられた前記ランプ収納用開口から前記リフレクタ内に挿入されるとともに前記バルブから放射されて前記リフレクタの内壁により反射された放射光の焦点位置が前記電極導入部上に位置しないように前記バルブが配置された光源と、前記ランプから放射された光の光軸上にあるとともに前記リフレクタで反射された前記ランプの放射光を集光させる少なくとも片面の中央部に凹部が備えられた集光用レンズとを備える光源ユニットと、
前記集光用レンズから出射された光を案内するミラートンネルと、
前記ミラートンネルから出射された光を集光するレンズと、
前記レンズから出射された光を受けて画像を映写するマイクロミラー素子と、
前記マイクロミラー素子から映写された画像を拡大する投影レンズと、
を備えることを特徴とするプロジェクタ装置。
【請求項６】
前記集光用レンズは、両レンズ面の中央部に凹面が設けられた凸レンズであることを特徴とする請求項５に記載のプロジェクタ装置。
【請求項７】
前記集光用レンズは、一方のレンズ面の中央部に凹部が設けられた凸レンズであることを特徴とする請求項５に記載のプロジェクタ装置。
【請求項８】
前記集光用レンズは、一方のレンズ面は平面に形成されるとともに、他方のレンズ面は中央部凹部が設けられた凸面に形成されたレンズであることを特徴とする請求項５に記載のプロジェクタ装置。
【発明の詳細な説明】
【技術分野】
【０００１】
本発明は光源ユニットとこの光源ユニットを備えるプロジェクタ装置に係り、特に光源からの光の利用効率を低下させずに小型化した光源ユニット及びこの光源ユニットを備えるプロジェクタ装置に関する。
【背景技術】
【０００２】
プロジェクタ装置は、光源ユニットから出射された光をカラーホイールに通した後、ミラートンネルに入射させて均一な強度分布の光とし、マイクロミラー素子や液晶表示素子などで画素ごとに光量を切り換えて映写することにより、スクリーン上に画像を表示するようになっている。
【０００３】
図１４に示すように光源ユニット４０には、光を照射する光源４１と、光源４１から放射された光を集光するための光軸Ｋ上に配置された凸レンズ４２と、凸レンズ４２から出射された光が照射されるミラートンネル４３から構成されている（特許文献１参照）。
【０００４】
光源４１は、リフレクタ４４とリフレクタ４４内に挿入されたランプ４５により構成されている。ランプ４５はバルブ４６と電極導入部４９，４９から構成され、バルブ４６がリフレクタ４４内に位置するように挿入されている。なお、図１４ではカラーホイールの図示を省略している。
【０００５】
ここで、バルブ３０から発せられてリフレクタ４４の内壁により反射された光の一部は電極導入部３１にあたって光量が減衰していた。また、凸レンズ４２ではリフレクタ４４により反射された光を十分にミラートンネル４３の入射面４３aに照射することができなかった。
【０００６】
そのため、ここで光源ユニット４０は一定の光量を確保するために一定以上の大きさが必要とされていたため、それを内蔵するプロジェクタ装置も大型化する傾向にあり、プロジェクタ装置の持ち運びや設置が必ずしも容易ではなかった。
【０００７】
全体を小型化する観点から、光源ユニットは小さい方が好ましいが、光源ユニットのランプは、従来は光量確保の観点から一定以上の大きさでなければならなかった。
【特許文献１】特開平６−５１４０１号公報
【発明の開示】
【発明が解決しようとする課題】
【０００８】
本発明の課題は、光の利用効率を挙げて一定の光量を確保するとともに小型化を実現した光源ユニット及びプロジェクタ装置を提供することにある。
【課題を解決するための手段】
【０００９】
上記課題を解決するため、
請求項１に記載の光源ユニットは、内面が鏡面加工されているとともにランプ収納用開口と光照射用開口が形成されたリフレクタと、光を放射するバルブと前記バルブに電極を案内する電極導入部とが備えられた前記ランプ収納用開口から前記リフレクタ内に挿入されるとともに前記バルブから放射されて前記リフレクタの内壁により反射された放射光の焦点位置が前記電極導入部上に位置しないように前記バルブが配置された光源と、前記ランプから放射された光の光軸上にあるとともに前記リフレクタで反射された前記ランプの放射光を集光させる少なくとも一方のレンズ面の中央部に凹部が備えられた集光用レンズと、
を備えることを特徴とする。
【００１０】
請求項１に記載の発明によれば、バルブから放射されリフレクタにより反射された放射光の焦点位置は電極導入部にはないため、放射光の大部分はランプの電極導入部にあたって減衰することなくレンズに照射されるため、放射光の損失を少なくすることができる。
【００１１】
また、ランプのバルブはランプ挿入口付近に配置されているため、バルブを光照射用開口付近に配置した時に比較してバルブから放射されてリフレクタの内面により反射された光の焦点位置はリフレクタよりさらに離れた位置となり、このことによっても放射光の大部分はランプにあたることはなくなり、放射光の減衰は少なくなる。
【００１２】
また、中央部に凹部が設けられたレンズにより、リフレクタにより反射された光を効率よくミラートンネルの入射面に照射されることとなる。
【００１３】
請求項２に記載の発明は、請求項１に記載の光源ユニットにおいて、前記集光用レンズは、両レンズ面の中央部に凹面が設けられた凸レンズであることを特徴とする。
【００１４】
請求項２に記載の発明によれば、光源から放射された光を効率よく集光してミラートンネルの入射面に照射することができる。
【００１５】
請求項３に記載の発明は、請求項１に記載の光源ユニットにおいて、前記集光用レンズは、一方のレンズ面の中央部に凹部が設けられた凸レンズであることを特徴とする。
【００１６】
請求項３に記載の発明によれば、一方のレンズ面の中央部に凹部が設けられた凸レンズを集光用レンズとして用いることで光源から放射された光を効率よく集光してミラートンネルの入射面に照射することができる。
【００１７】
請求項４に記載の発明は、請求項１に記載の光源ユニットは、請求項１に記載の光源ユニットにおいて、前記集光用レンズは、一方のレンズ面は平面に形成されるとともに、他方のレンズ面は中央部に凹部が設けられた凸面に形成されたレンズであることを特徴とする。
【００１８】
請求項４に記載の発明によれば、一方のレンズ面は平面に形成されるとともに、他方のレンズ面は中央部に凹部が設けられた凸面に形成されたレンズを集光用レンズとして用いることで光源から放射された光を効率よく集光してミラートンネルの入射面に照射することができる。
【００１９】
請求項５に記載のプロジェクタ装置は、内面が鏡面加工されているとともにランプ収納用開口と光照射用開口が形成されたリフレクタと、光を放射するバルブと前記バルブに電極を案内する電極導入部とが備えられた前記ランプ収納用開口から前記リフレクタ内に挿入されるとともに前記バルブから放射されて前記リフレクタの内壁により反射された放射光の焦点位置が前記電極導入部上に位置しないように前記バルブが配置された光源と、前記ランプから放射された光の光軸上にあるとともに前記リフレクタで反射された前記ランプの放射光を集光させる少なくとも一方のレンズ面の中央部に凹部が備えられた集光用レンズとを備える光源ユニットと、前記集光用レンズから出射された光を案内するミラートンネルと、前記ミラートンネルから出射された光を集光するレンズと、前記レンズから出射された光を受けて画像を映写するマイクロミラー素子と、前記マイクロミラー素子から映写された画像を拡大する投影レンズと、を備えることを特徴とする。
【００２０】
請求項５に記載の発明によれば、小型化された光源ユニットを備えることで、プロジェクタ装置内における光源ユニットを収納するために必要な空間を少なくすることができる。
【００２１】
請求項６に記載の発明は、請求項５に記載のプロジェクタ装置において、前記集光用レンズは、両レンズ面の中央部に凹面が設けられた凸レンズであることを特徴とする。
【００２２】
請求項６に記載の発明によれば、光源から放射された光を効率よく集光してミラートンネルの入射面に照射することができる。
【００２３】
請求項７に記載の発明は、請求項５に記載のプロジェクタ装置において、前記集光用レンズは、一方のレンズ面の中央部に凹部が設けられた凸レンズであることを特徴とする。
【００２４】
請求項７に記載の発明によれば、一方のレンズ面の中央部に凹部が設けられた凸レンズを集光用レンズとして用いることで光源から放射された光を効率よく集光してミラートンネルの入射面に照射することができる。
【００２５】
請求項８に記載の発明は、請求項５に記載のプロジェクタ装置において、前記集光用レンズは、一方のレンズ面は平面に形成されるとともに、他方のレンズ面は中央部に凹部が設けられた凸面に形成されたレンズであることを特徴とする。
【００２６】
請求項８に記載の発明によれば、一方のレンズ面は平面に形成されるとともに、他方のレンズ面は中央部に凹部が設けられた凸面に形成されたレンズを集光用レンズとして用いることで光源から放射された光を効率よく集光してミラートンネルの入射面に照射することができる。
【発明の効果】
【００２７】
請求項１に記載の発明によれば、ランプから放射された放射光の利用効率を高めることができるためリフレクタを小型化することが可能となり、光源ユニット全体を小型化することができる。
【００２８】
請求項２に記載の発明によれば、光源から出射された光を集光用レンズによって効率よく集光することができるので従来と比較して小さいレンズを使用することが可能となるため、これによっても光源ユニットを小型化することができる。
【００２９】
請求項３に記載の発明によれば、一方のレンズ面は平面に形成されるとともに、他方のレンズ面は中央部に凹部が設けられた凸面に形成されたレンズを集光用レンズとして用いることで光源から出射された光を集光用レンズによって効率よく集光することができるので従来と比較して小さいレンズを使用することが可能となるため、これによっても光源ユニットを小型化することができる。
【００３０】
請求項４に記載の発明によれば、一方のレンズ面は平面に形成されるとともに、他方のレンズ面は中央部に凹部が設けられた凸面に形成されたレンズを集光用レンズとして用いることで光源から出射された光を集光用レンズによって効率よく集光することができるので従来と比較して小さいレンズを使用することが可能となるため、これによっても光源ユニットを小型化することができる。
【００３１】
請求項５に記載の発明によれば、小型化された光源ユニットを備えているためプロジェクタ装置自体を小型化することができる。
【００３２】
請求項６に記載の発明によれば、従来と比較して小型化した集光用レンズを用いることが可能となり、これによっても光源ユニットが小型化され、それを内蔵するプロジェクタ装置自体を小型化することができる。
【００３３】
請求項７に記載の発明によれば、一方のレンズ面の中央部に凹部が設けられた凸レンズを集光用レンズとして用いることで従来と比較して小型化した集光用レンズを用いることが可能となり、これによっても光源ユニットが小型化され、それを内蔵するプロジェクタ装置自体を小型化することができる。
【００３４】
請求項８に記載の発明によれば、一方のレンズ面は平面に形成されるとともに、他方のレンズ面は中央部に凹部が設けられた凸面に形成されたレンズを集光用レンズとして用いることで従来と比較して小型化した集光用レンズを用いることが可能となり、これによっても光源ユニットが小型化され、それを内蔵するプロジェクタ装置自体を小型化することができる。
【発明を実施するための最良の形態】
【００３５】
次に本発明の実施の形態について図面を参照して説明する。ただし、発明の範囲は図示例に限定されない。
【００３６】
図１に示すように、プロジェクタ装置１には、ケース２が備えられ、その内部に電源が取り付けられたプロジェクタ装置１全体を制御する電源基板３が配置されている。ケース２内の中央部付近には、電源基板３により制御される光源５が配置され、光源５から発せられた光の進行方向には集光用レンズ６が配置されている。集光用レンズ６の光の出射方向には、集光用レンズ６から出射された光をＲＧＢの各色に変換するカラーホイール９が配置されている。カラーホイール９を透過した光の進行方向にはミラートンネル１０が配置されており、ミラートンネル１０の光の出射方向には画像をスクリーンに投影するための映像ユニット１１が配置されている。また、プロジェクタ装置１には光源５を冷却するために光源５内に冷却風を流し込むシロッコファン１２とシロッコファン１２により光源５内に流し込まれた風をプロジェクタ装置１内から排出するための軸流ファン１３が備えられている。
【００３７】
図２はプロジェクタ装置１の概略構成図である。プロジェクタ装置１の内部には光源ユニット４が備えられており、光源ユニット４は光を放射する光源５、光源５から出射された光を集光するための集光用レンズ６により構成されている。
【００３８】
光源５から発せられた光の進行方向にはその光を集光するための集光用レンズ６が備えられており、集光用レンズ６の光の出射方向には、集光用レンズ６から出射された光をＲ，Ｇ，Ｂの各色に変換するカラーホイール９が配置されている。カラーホイール９を透過した光の進行方向にはミラートンネル１０が配置されている。ミラートンネル１０の光の出射方向には映像ユニット１１が配置されており、ミラートンネル１０から出射された光の光軸Ｋ上には映像ユニット１１を構成するレンズ２１、レンズ２１の光の出射方向にはレンズ２１と対向しないようにマイクロミラー素子２２が配置されている。マイクロミラー素子２２の反射光の進行方向には投影レンズ２３が配置されている。なお、カラーホイール９はミラートンネル１０の光の出射方向側に配置することとしてもよい。
【００３９】
図３は光源ユニット４の概略断面図である。なお、図３においてカラーホイール９の図示は省略されている。
【００４０】
光源５はリフレクタ２４とリフレクタ２４内に収納されたランプ２９により構成されている。
【００４１】
リフレクタ２４は、半球状で内面が鏡面加工が施されているとともに、カラーホイール９側に開口が設けられている（以下、前述の開口を「光照射用開口２５」という）。また、リフレクタ２４の基部も開口が設けられており（以下、リフレクタ２４の基部に形成された開口を「ランプ収納用開口２６」という）、ランプ収納用開口２６からランプ２９が収納されるようになっている。
【００４２】
ランプ２９は、光を出射するバルブ３０とバルブ３０の両端に設けられたバルブ３０内に電極を導入する電極導入部３１，３１とから構成されている。またバルブ３０内には放電を行うアーク３２が備えられている。バルブ３０はリフレクタ２４内のランプ収納用開口２６付近であって、バルブ３０から放射され、リフレクタ２４の内壁により反射された放射光の焦点位置が電極導入部３１よりも反射光の進行方向側に形成されるように配置されている。
【００４３】
リフレクタ２４により反射された光の進行方向には光軸Ｋに沿って、反射光を集光するための集光用レンズ６が配置されている。図４は集光用レンズ６の一方のレンズ面を表す正面図であり、図５は図４に示す集光用レンズ６のＡ−Ａ断面図である。図４及び図５に示すように集光用レンズ６は光の集光面である両面の凸面の中央部に凹部が設けられた凸レンズである。
【００４４】
集光用レンズ６の光源５側のレンズ面の光を集光する面（以下「有効範囲」という）の面積はカラーホイール９側のレンズ面の光を出射する面（以下「有効範囲」という）の面積よりも広くなるように構成されている。
【００４５】
なお、集光用レンズは、図６及び図７に示すように一方のレンズ面が通常の凸面であって、他方のレンズ面も凸面であるが中央部に凹部が設けられた集光用レンズ７を用いることとしてもよい。この集光用レンズ７は、いずれのレンズ面を光源５の方向に向けて配置することとしてもよい。
【００４６】
また、集光用レンズには、図８及び図９に示すように一方のレンズ面が平面であり、他方のレンズ面が凸面であって、その中央部に凹部が設けられた集光用レンズ８を用いることとしてもよい。この集光用レンズ８は、いずれのレンズ面を光源５の方向に向けて配置することとしてもよい。
【００４７】
ミラートンネル１０は、透明な角柱であり、光軸Ｋに沿って配設されている。このミラートンネル１０は、入射面１０ａからの入射光をミラートンネル１０の側面と外気層との界面で全反射させながら光軸方向に導き、均一な強度分布の光束として出射面１０ｂから出射するようになっている。なお、このようなミラートンネル１０としては、内周面全体に反射膜が設けられた角筒を用いることとしてもよい。
【００４８】
カラーホイール９は、円形の回転板であり、周方向に並べられた赤、青、緑のカラーフィルタが備えられている。カラーホイール９は回転の中心軸Ｘを光軸Ｋの側方にずらして配置されている。
【００４９】
レンズ２１は、ミラートンネル１０から出射された光をマイクロミラー素子２２に投射するものである。図２ではレンズ２１を単レンズとして図示しているが、複数枚のレンズからなることとしてもよい。
【００５０】
マイクロミラー素子２２は、複数のマイクロミラーによって表示画像の１つ１つの画素を形成し、これらマイクロミラーの傾き方向を切り換えることで画素の明暗を切り換えて画像を映写するものである。
マイクロミラーは、アルミニウム片などの極薄金属片で形成されており、縦横の幅が１０μｍ〜２０μｍとなっている。これらのマイクロミラーは、行方向及び列方向にマトリックス状に配列形成されたＣＭＯＳ等の複数のミラー駆動素子（図示せず）の上にそれぞれ設けられている。
【００５１】
投影レンズ２３は、マイクロミラー素子２２からの反射光を拡大してスクリーン（図示せず）に投射するものである。なお、図２では投影レンズ２３を単レンズとして図示しているが、複数枚のレンズからなることとしても良い。
【００５２】
なお、本実施の形態において用いる光源ユニットを構成する部材の寸法及び位置関係の一例について説明する。
【００５３】
コーニック定数が−０．５５１０６、曲率半径が１０．９７６６９、光照射用開口の半径が３２．５ｍｍでランプ収納用開口の半径が１１ｍｍのリフレクタを使用する場合には、集光用レンズ６は以下の寸法のものを使用する。
【００５４】
図１０は、光源５側（以下、適宜「Ａ側」という）に面する集光用レンズ６の正面図である。このレンズ面の半径は、８．３ｍｍである。図１０に示すように、Ａ側のレンズ面の有効範囲Ｘは凹部の中心点から半径１．５ｍｍの範囲の外側であって凹部の中心点から７．８ｍｍ±０．１ｍｍの内側の範囲となっている。図１１はミラートンネル１０側（以下、適宜「Ｂ側」という）に面する集光用レンズ６の正面図である。図１１に示すように、Ｂ側のレンズ面の有効範囲Ｙは凹部の中心点から半径０．８ｍｍの範囲の外側であって凹部の中心点から７ｍｍの内側の範囲となっている。
【００５５】
図１２は集光用レンズ６の断面を表したものであり、以下において集光用レンズ６の寸法を明らかにするため、図１２を用いてまず基準線の引き方について説明する。
【００５６】
集光用レンズ６のＡ側の面の凹部の中央を通るように光軸Ｋと直行する基準線Ｃを引き、基準線Ｃから光軸Ｋ上を４ｍｍＢ側に移動した位置に光軸Ｋと直行するように基準線Ｄを引く。
【００５７】
次にＢ側のレンズ面の凸部の頂部と凸部の頂部から基準線Ｄに対して光軸Ｋと平行にそれぞれ基準線Ｅ，Ｆを引く。また、Ａ側のレンズ面の凸部の頂部と凸部の頂部からも同様に光軸Ｋと平行にそれぞれ基準線Ｇ，Ｈを引く。
【００５８】
基準線Ｄと基準線Ｅの直行する点Ｉと集光用レンズ６の周縁部の端部Ｊまでの距離を半径として、点Ｉを中心として端部Ｊから光軸Ｋの方向に円弧Ｌを形成する。
【００５９】
また、基準線Ｄと基準線Ｆの直行する点Ｌから集光用レンズ６の周縁部の端部Ｎまでの距離を半径として、点Ｍを中心として端部Ｎから光軸Ｋの方向に円弧Ｏを形成する。そして、円弧Ｌと円弧Ｏが交わった点がＡ側のレンズ面の凹部の中央部である。
【００６０】
また、基準線Ｃと基準線Ｇの直行する点Ｐから集光用レンズ６の周縁部の端部Ｑまでの距離を半径として、点Ｐを中心としてＱから光軸Ｋの方向に円弧Ｒを形成する。
【００６１】
また、基準線Ｃと基準線Ｈの直行する点Ｓから集光用レンズ６の周縁部の端部Ｔまでの距離を半径として、点Ｓを中心として端部Ｔから光軸Ｋの方向に円弧Ｕを形成する。そして、円弧Ｒと円弧Ｕが交わった点がＢ側のレンズ面の凹部の中央部である。
【００６２】
次に、集光用レンズ６の各部の寸法について詳述する。点Ｉと点Ｍを結んだ線の距離は７ｍｍであり、点Ｐと点Ｓを結んだ線の距離は６ｍｍである。また、円弧Ｌと円弧Ｏの半径はそれぞれ５．５ｍｍであり、円弧Ｒと円弧Ｕの半径はそれぞれ６．４ｍｍである。
【００６３】
図１３は光源ユニット４を構成する部材の位置関係を表す光源ユニット４の断面図である。なお、図１３においては位置関係を明確にするためカラーホイール９の図示は省略するものとする。
【００６４】
アーク３２は、光軸Ｋ上であるとともに、リフレクタ２４の基部から５．６ｍｍの距離に位置するように配置されている。集光用レンズ６は、Ａ側のレンズ面の二つの凸部のそれぞれの頂点を結んだ線と光軸Ｋの直行する点がアーク３２から３０．５ｍｍの距離に位置するように配置されている。また、ミラートンネル１０は、アーク３２から入射面１０aと光軸Ｋ上が直行する点までの距離が４４．５ｍｍまでの距離に位置するように配置されている。
【００６５】
次に本発明の実施の形態の作用について説明する。
【００６６】
プロジェクタ装置１を駆動させると光源５のバルブ３０から光が放射され、放射された光の大部分はリフレクタ２４の鏡面加工が施された内壁に照射される。
【００６７】
このとき、図３に示すように光源５のバルブ３０はリフレクタ２４内のランプ収納用開口２６付近であって、バルブ３０から放射されリフレクタ２４の内壁により反射された放射光の焦点位置が集光用レンズ６側の電極導入部３１の先端部よりも反射光の進行方向側に形成されるように配置されているため、反射光の大部分は集光用レンズ６の凹部が設けられた中央部以外の部分に照射されて集光される。
【００６８】
集光用レンズ６に照射されて集光された後にカラーホイール９に照射されて赤、緑、青の三色に変換された後にミラートンネル１０の光入射面に照射される。
【００６９】
ミラートンネル１０から出射された光はレンズ２１により光束が拡大された後に、マイクロミラー素子２２に照射される。そして、マイクロミラー素子２２により反射された光は投影レンズ２３によりにより拡大されて図示しないスクリーンに投射される。
【００７０】
以上のように本発明によれば、バルブ３０から放射されリフレクタ２４により反射された放射光の焦点位置は電極導入部３１にはないため、放射光の大部分はランプの電極導入部３１にあたることはないため減衰することはなく、レンズに照射され放射光の損失を少なくすることができるため、光源５から放射された放射光の利用効率を高めることが可能となるためリフレクタ２４を小型化することが可能となり、光源ユニット４全体を従来の光源ユニットと比較して小型化することができる。
【００７１】
また、光源ユニット４を小型化したためそれを搭載するプロジェクタ装置１自体を小型化することができる。
【図面の簡単な説明】
【００７２】
【図１】本発明の実施の形態に係るプロジェクタ装置の上面断面図である。
【図２】本発明に係るプロジェクタ装置の概略構成図である。
【図３】本発明に係る光源ユニットの断面図である。
【図４】集光用レンズの正面図である。
【図５】図４に示す集光用レンズのＡ−Ａ断面図である。
【図６】集光用レンズの正面図である。
【図７】図６に示す集光用レンズのＢ−Ｂ断面図である。
【図８】集光用レンズの正面図である。
【図９】図８に示す集光用レンズのＣ−Ｃ断面図である。
【図１０】集光用レンズのＡ側の正面図である。
【図１１】集光用レンズのＢ側の正面図である。
【図１２】集光用レンズのＡ−Ａ断面図に基準線を引いたものである。
【図１３】光源ユニットを構成する部材の位置関係を表すための模式図である。
【図１４】従来の光源ユニットの断面図である。
【符号の説明】
【００７３】
１     プロジェクタ装置
２     ケース
３     電源基板
４     光源ユニット
５     光源
６     集光用レンズ
７     集光用レンズ
８     集光用レンズ
１０   ミラートンネル
２４   リフレクタ
２５   光照射用開口
２６   ランプ収納用開口
２９   ランプ
３０   バルブ
３１   電極導入部
３２   アーク
【図１】
2006171210.tif 000003
【図２】
2006171210.tif 000004
【図３】
2006171210.tif 000005
【図４】
2006171210.tif 000006
【図５】
2006171210.tif 000007
【図６】
2006171210.tif 000008
【図７】
2006171210.tif 000009
【図８】
2006171210.tif 000010
【図９】
2006171210.tif 000011
【図１０】
2006171210.tif 000012
【図１１】
2006171210.tif 000013
【図１２】
2006171210.tif 000014
【図１３】
2006171210.tif 000015
【図１４】
2006171210.tif 000016